(57)【特許請求の範囲】
【請求項１】
ビデオテープカセット若しくは同カセットを収めたレンタル用ケースを箱型本体の正面側から出し入れできるように開閉自由とされた扉と、その本体の上面側の開口から該レンタル用ケースを出し入れできるように該開口を開閉する蓋体を設け、前記ビデオテープカセットをそのまま収納した販売態様と、前記レンタル用ケースの底面を前記扉の内面に突設されたストッパに当接させて同ケースの上部を前記開口から所定高さに露出させたレンタルショップにおける展示態様の何れかに可変自由に設けられたビデオテープカセットの販売とレンタル兼用カバーケースにおいて、前記蓋体は、その一端部を前記扉の自由端側に位置する本体の側部にヒンジにより連接されて内方へ折り曲げ自由に設けられると共に、その裏面に接近又は離れる方向に変位する弾性片が設けられ、販売態様において、前記ビデオテープカセットはその端面を該弾性片により弾圧されて長手方向のガタツキを抑制され、展示態様において、前記レンタル用ケースは内方へ折り曲げられた状態とされた蓋体により短手方向の移動量が規制されてガタツキを抑制されるように構成したことを特徴とするビデオテープカセットの販売とレンタル兼用カバーケース。
【請求項２】
前記蓋体の長手方向の側縁部に突片を一体に設け、その蓋体が内方へ折り曲げられたときに、その突片を前記本体の背部の少なくとも２カ所に形成された係止穴又は凹部に係合させて同蓋体の位置を変更可能に構成したことを特徴とする請求項１に記載のビデオテープカセットの販売とレンタル兼用カバーケース。
【請求項３】
ビデオテープカセット若しくは同カセットを収めたレンタル用ケースを箱型本体の正面側から出し入れできるように開閉自由とされた扉と、その本体の上面側の開口から該レンタル用ケースを出し入れできるように該開口を開閉する蓋体を設け、前記ビデオテープカセットをそのまま収納した販売態様と、前記レンタル用ケースの底面を前記扉の内面に突設されたストッパに当接させて同ケースの上部を前記開口から所定高さに露出させたレンタルショップにおける展示態様の何れかに可変自由に設けられたビデオテープカセットの販売とレンタル兼用カバーケースにおいて、前記蓋体は前記本体の背部に設けられたヒンジにより連接して一体に形成され、係止爪が形成された弾力性を有するロック片を前記背部に設け、当該蓋体の端部を前記本体の側部に係合させることにより前記開口が閉じられた状態に保持され、他方、内方に折り曲げられた蓋体の自由端部を前記ロック片の係止爪に係合させることにより前記開口が開かれた状態に保持されるように設け、前記本体の背部に一体に形成された弾性片により、販売態様のビデオテープカセットと展示態様におけるレンタル用ケースのガタツキを抑制するように構成したことを特徴とするビデオテープカセットの販売とレンタル兼用カバーケース。
【請求項４】
前記ヒンジの内面には、前記蓋体の曲げ方向と直交する方向に複数の溝が形成されていることを特徴とする請求項１〜３の何れかに記載のビデオテープカセットの販売とレンタル兼用カバーケース。
【請求項５】
ビデオテープカセット若しくは同カセットを収めたレンタル用ケースを箱型本体の正面側から出し入れできるように開閉自由とされた扉と、その本体の上面側の開口から該レンタル用ケースを出し入れできるように該開口を開閉する蓋体を設け、前記ビデオテープカセットをそのまま収納した販売態様と、該レンタル用ケースの底面を前記扉の内面に突設されたストッパに当接させて同ケースの上部を前記開口から所定高さに露出させたレンタルショップにおける展示態様の何れかに可変自由に設けられたビデオテープカセットの販売とレンタル兼用カバーケースにおいて、前記蓋体は、前記本体の開口部又は一側部に設けた係合部に雌雄の関係にて夫々着脱可能とされていると共に、その裏面に接近又は離れる方向に変位する弾性片を設けられ、販売態様において、前記ビデオテープカセットはその端面を該弾性片により弾圧されて長手方向のガタツキを抑制され、展示態様において、前記レンタル用ケースは前記開口部から一側部に付け替えられた蓋体の弾性片により短手方向の移動量が規制されてガタツキを抑制されるように構成したことを特徴とするビデオテープカセットの販売とレンタル兼用カバーケース。
【請求項６】
前記蓋体を除く本体内の適宜位置に、前記ビデオテープカセット又はレンタル用ケースの短手方向の移動量が規制されて同ケースのガタツキを抑制する弾性片を設けたことを特徴とする請求項１、２、５の何れかに記載のビデオテープカセットの販売とレンタル兼用カバーケース。
【発明の詳細な説明】
【０００１】
【発明の属する技術分野】
本発明は、音楽や映像を記録したビデオテープカセットの販売とレンタル兼用カバーケースに関する。
【０００２】
【従来の技術】
従来のビデオテープカセットの販売とレンタル兼用カバーケースの一例として、ビデオテープカセットに使用するものが、第２６４００７４号特許公報にて開示されている。そのカバーケースは、ビデオテープカセット若しくは同カセットを収めたレンタル用ケースを箱型本体の正面側から出し入れできるように扉を開閉自由とし、その本体の上面開口を開閉する蓋体を設け、開放された開口からビデオテープカセット若しくは同カセットを収めたレンタル用ケースを出し入れできる構造とされている。そして、ビデオテープカセットをそのまま収納した販売態様と、レンタルショップにおいてビデオテープカセットを別に用意したレンタル用ケースに移し替えてから同ケースを前記開口から挿入し、レンタル用ケースの上部を開口から露出させた状態とした展示態様の何れにも利用できるようにされている。
【０００３】
【発明が解決しようとする課題】
上記した従来の販売・レンタル兼用カバーケースにおいては、レンタル用ケースを開口から内部に奥深く挿入する構造とされているので、そのケースの進入を妨げるような突起物を進入する空間部に設けることはできない。このため、ビデオテープカセットがそのまま収められたカバーケースを出荷・輸送する際に、そのビデオテープカセットが振動によってカバーケース内でカタカタと動いてしまう。また、レンタルショップでは、販売会社から仕入れたビデオテープカセットを別途用意したレンタル用ケースに入れ替えたうえで展示を行っている。
そのレンタル用ケースには横幅の大きい扉付ケースと、長手方向を開放した横幅の小さい横入れケースの２種類が市場に流通しており、そのサイズの差異（実寸法５ｍｍ程度）があっても同じ大きさのカバーケースを使用するため、横入れケースの場合には特にガタツキを生じやすい。また、レンタルショップにおいてレンタル用ケースの上部を露出させた状態にてブック式展示を行った場合には、各レンタル用ケースの前面が凹凸状に不規則になるので見栄えが悪くなる。このため、このタイプのカバーケースが小規模の使用に止まって普及しない要因ともなっていた。
【０００４】
この発明の目的は、販売態様におけるビデオテープカセットの輸送時及びレンタルショップでの展示態様におけるレンタル用ケースのガタツキを可及的に抑制可能なビデオテープカセットの販売とレンタル兼用カバーケースを提供することにある。
【０００５】
【課題を解決するための手段】
前記目的を達成するために請求項１に記載の発明は、ビデオテープカセット若しくは同カセットを収めたレンタル用ケースを箱型本体の正面側から出し入れできるように開閉自由とされた扉と、その本体の上面側の開口から該レンタル用ケースを出し入れできるように該開口を開閉する蓋体を設け、前記ビデオテープカセットをそのまま収納した販売態様と、前記レンタル用ケースの底面を前記扉の内面に突設されたストッパに当接させて同ケースの上部を前記開口から所定高さに露出させたレンタルショップにおける展示態様の何れかに可変自由に設けられたビデオテープカセットの販売とレンタル兼用カバーケースにおいて、前記蓋体は、その一端部を前記扉の自由端側に位置する本体の側部にヒンジにより連接されて内方へ折り曲げ自由に設けられると共に、その裏面に接近又は離れる方向に変位する弾性片が設けられ、販売態様において、前記ビデオテープカセットはその端面を該弾性片により弾圧されて長手方向のガタツキを抑制され、展示態様において、前記レンタル用ケースは内方へ折り曲げられた状態とされた蓋体により短手方向の移動量が規制されてガタツキを抑制されるように構成したことを特徴とする。
【０００６】
同様の目的を達成するために請求項２に記載の発明は、請求項１に記載のビデオテープカセットの販売とレンタル兼用カバーケースにおいて、前記蓋体の長手方向の側縁部に突片を一体に設け、その蓋体が内方へ折り曲げられたときに、その突片を前記本体の背部の少なくとも２カ所に形成された係止穴又は凹部に係合させて同蓋体の位置を変更可能に構成したことを特徴とする。
【０００７】
同様の目的を達成するために請求項３に記載の発明は、ビデオテープカセット若しくは同カセットを収めたレンタル用ケースを箱型本体の正面側から出し入れできるように開閉自由とされた扉と、その本体の上面側の開口から該レンタル用ケースを出し入れできるように該開口を開閉する蓋体を設け、前記ビデオテープカセットをそのまま収納した販売態様と、前記レンタル用ケースの底面を前記扉の内面に突設されたストッパに当接させて同ケースの上部を前記開口から所定高さに露出させたレンタルショップにおける展示態様の何れかに可変自由に設けられたビデオテープカセットの販売とレンタル兼用カバーケースにおいて、前記蓋体は前記本体の背部に設けられたヒンジにより連接して一体に形成され、係止爪が形成された弾力性を有するロック片を前記背部に設け、当該蓋体の端部を前記本体の側部に係合させることにより前記開口が閉じられた状態に保持され、他方、内方に折り曲げられた蓋体の自由端部を前記ロック片の係止爪に係合させることにより前記開口が開かれた状態に保持されるように設け、前記本体の背部に一体に形成された弾性片により、販売態様のビデオテープカセットと展示態様におけるレンタル用ケースのガタツキを抑制するように構成したことを特徴とする。
【０００８】
同様の目的を達成するために請求項４に記載の発明は、請求項１〜３の何れかに記載のビデオテープカセットの販売とレンタル兼用カバーケースにおいて、前記ヒンジの内面には、前記蓋体の曲げ方向と直交する方向に複数の溝が形成されていることを特徴とする。
【０００９】
同様の目的を達成するために請求項５に記載の発明は、ビデオテープカセット若しくは同カセットを収めたレンタル用ケースを箱型本体の正面側から出し入れできるように開閉自由とされた扉と、その本体の上面側の開口から該レンタル用ケースを出し入れできるように該開口を開閉する蓋体を設け、前記ビデオテープカセットをそのまま収納した販売態様と、該レンタル用ケースの底面を前記扉の内面に突設されたストッパに当接させて同ケースの上部を前記開口から所定高さに露出させたレンタルショップにおける展示態様の何れかに可変自由に設けられたビデオテープカセットの販売とレンタル兼用カバーケースにおいて、前記蓋体は、前記本体の開口部又は一側部に設けた係合部に雌雄の関係にて夫々着脱可能とされていると共に、その裏面に接近又は離れる方向に変位する弾性片を設けられ、販売態様において、前記ビデオテープカセットはその端面を該弾性片により弾圧されて長手方向のガタツキを抑制され、展示態様において、前記レンタル用ケースは前記開口部から一側部に付け替えられた蓋体の弾性片により短手方向の移動量が規制されてガタツキを抑制されるように構成したことを特徴とする。
【００１０】
同様の目的を達成するために請求項６に記載の発明は、請求項１、２、５の何れかに記載のビデオテープカセットの販売とレンタル兼用カバーケースにおいて、前記蓋体を除く本体内の適宜位置に、前記ビデオテープカセット又はレンタル用ケースの短手方向の移動量が規制されて同ケースのガタツキを抑制するための弾性片を設けたことを特徴とするものである。
【００１１】
【発明の作用及び効果】
（請求項１の発明）
販売態様の場合において、ビデオテープカセットはその端面を蓋体に設けられた弾性片により弾圧されるので、長手（縦）方向のガタツキが抑制される。また、展示態様の場合において、ビデオテープカセットを収めたレンタル用ケースは内方へ折り曲げられた状態とされた蓋体により短手（横）方向の移動量が小範囲に規制されるので、ガタツキを抑制される。
しかして、レンタルショップにおいてブック式展示を行った場合、各レンタル用ケースの正面は前後にでこぼこしなくてほぼ揃うため、大変見栄えが良い。
【００１２】
（請求項２の発明）
内方へ折り曲げた蓋体の突片は本体の少なくとも２カ所の係止穴又は凹部に係合させられるので、同蓋体を２つの位置に夫々保持することができる。これにより、従来から使用されている横幅（短手方向）の大きい扉付ケースと、横幅の小さい横入れケースの何れに対しても横幅方向の移動量が小範囲に規制されるので、展示態様におけるガタツキを抑制することができる。
【００１３】
（請求項３の発明）
販売態様におけるビデオテープカセットと展示態様におけるレンタル用ケースは、弾性片により移動量が小範囲に規制されるので、ガタツキが抑制される。
【００１４】
（請求項４の発明）
蓋体を折り曲げる場合、ヒンジ部分は溝があるために屈曲変形しやすく、蓋体の開閉操作を円滑に行うことができる。
【００１５】
（請求項５の発明）
販売態様の場合において、ビデオテープカセットはその端面を蓋体に設けられた弾性片により弾圧されるので、長手方向のガタツキが抑制される。また、展示態様の場合において、レンタル用ケースは開口部から一側部に付け替えられた蓋体の弾性片により短手方向の移動量が小範囲に規制されるので、ガタツキを抑制される。
【００１６】
（請求項６の発明）
ビデオテープカセット又はレンタル用ケースは本体内の適宜位置に設けられた弾性片により短手方向の移動量が小範囲に規制されるので、他に設けられた弾性片との相乗作用によってガタツキが抑制される。
【００１７】
このビデオテープカセットの販売とレンタル兼用カバーケースによれば、販売態様におけるビデオテープカセットの輸送時及びレンタルショップでの展示態様におけるレンタル用ケースのガタツキを可及的に抑制することができる。加えて、レンタルショップにおいてブック式展示を行う場合には、各レンタル用ケースの正面は前後にでこぼこしなくてほぼ揃うことから、大変見栄えが良いという利点を生ずる。
【００１８】
【発明の実施の形態】
以下に、本発明の実施の形態例を図面に基づいて説明する。図１〜図６は第１実施の形態例、図７〜図１２は第２実施の形態例、図１３〜図１５は第３実施の形態例に係るものである。図１はカバーケースＣ1の斜視図、図２はカバーケースＣ1の縦断正面図、図３は図２のＡ−Ａ線断面図、図４は扉付レンタル用ケースＲの展示態様を示すカバーケースＣ1の縦断正面図、図５は図４のＢ−Ｂ線断面図、図６は横入れレンタル用ケースＲ′の展示態様を示すカバーケースの縦断正面図、図７は蓋体を起立させた状態を示すカバーケースＣ2の縦断正面図、図８は蓋体が展開した状態におけるヒンジ部分の模式図、図９は蓋体が屈曲した状態におけるヒンジ部分の模式図、図１０は蓋体を折り曲げてロックが施された状態を示す説明図、図１１は扉付レンタル用ケースＲの展示態様を示すカバーケースＣ2の縦断正面図、図１２は円盤状記録媒体用カバーケースの場合において、蓋体を折り曲げてロックが施された状態を示す説明図、図１３はカバーケースＣ3の縦断正面図、図１４は蓋体の斜視図、図１５は扉付レンタル用ケースＲの展示態様を示すカバーケースＣ3の縦断正面図である。
【００１９】
（第１実施の形態例）
図１に示すビデオテープカセット用カバーケースＣ1は、本発明のビデオテープカセットの販売とレンタル兼用カバーケースの第１実施形態例である。
このカバーケースＣ1は、背部１０、左側部１５、右側部２０、底部２５及び蓋体３０とからなる箱型形状の本体１と、正面の扉３５とが合成樹脂材料により一体に成形されている。それら背部１０と左側部１５との連接部、右側部２０と蓋体３０との連接部及び左側部１５と扉３５との連接部とは夫々薄肉に形成されている。扉３５は右側部２０から分割されており、左側部１５を伴って開閉自由に設けられている。
【００２０】
図２に示すように、上記本体１の背部１０には左側部１５に平行に沿うように案内片１１を、右側部２０の内面には複数の案内片２１を、底部２５の内面には補強リブを兼ねた複数の案内片２６を夫々一体に形成する。左側部１５の内面下方には、内方に突出するストッパ１６を一体に設ける。そして、上記案内片２１とストッパ１６の対向する間隔寸法については、図中、二点鎖線で示したビデオテープカセットＴを収納して扉３５を閉じたときに、そのカセットＴの横幅（短手）方向に少し余裕を持つように設ける。また、そのストッパ１６については、本件出願人に係る特許第２６４００７４号公報に記載されて公知のように、本体１の上面側の開口２からレンタル用ケースが挿入される展示態様の場合に、そのケースの底面を当接させて同ケースの上部が開口２から所定高さに露出するように高さを設定するものとする。
【００２１】
上述したように蓋体３０は、その一端部３１を右側部２０の上端２０ａにヒンジ２２により連接されて内方へ折り曲げ自由に設けられていると共に、その裏面側３０ａに接近又は離れる方向に変位する板バネ状の弾性片３３を一体に設けている。３４は蓋体３０の長手方向の側縁部３０ｂに一体に設けられた突片である。この突片３４は、蓋体３０によって前記開口２が閉じられた状態において、背部１０に穿設された係止穴１２に係合し、他方、蓋体３０が内方へ折り曲げられた状態において、本体の背部１０に隣接して形成された２つの係止穴１３、１４の何れかに係合することにより、同蓋体３０の位置を２段階に変更することができるように設けられている。また、蓋体３０の他端部３２は、開口２が閉じられた状態において、左側部１５の上端内方に形成された係止溝１７に係合するように設けられている。
【００２２】
以上により、第１実施形態例のカバーケースＣ1が構成される。
図２に示す販売会社から出荷される販売態様の場合、このカバーケースＣ1に完全に収納されたビデオテープカセットＴは、その上端面を蓋体３０の弾性片３３により弾圧されるので、縦方向のガタツキが可及的に抑制される。
また、図４に示すビデオレンタルショップにおける展示態様の場合、ビデオテープカセットＴを収めた扉付レンタル用ケースＲは、内方へ折り曲げられて突片３４を係止穴１３に係合保持された蓋体３０により横方向の移動量が小範囲に規制されるので、ガタツキを抑制される。
【００２３】
横入れレンタル用ケースＲ′についても、蓋体３０の弾性片３３により縦方向のガタツキが可及的に抑制される。従来の横入れレンタル用ケースＲ′は扉付レンタル用ケースＲよりも横幅を約５ｍｍ程度小さく作られているが、図６に示す展示態様の場合において、内方へ折り曲げられて突片３４を係止穴１４に係合保持された蓋体３０により横方向の移動量が小範囲に規制されるので、ガタツキを抑制される。
【００２４】
しかして、上記カバーケースＣ1はレンタルショップにおいてブック式展示を行う場合、各レンタル用ケースＲ（Ｒ′）の正面は前後にでこぼこしないため、大変見栄えが良くなる。
【００２５】
（第２実施の形態例）
図７に示すビデオテープカセット用カバーケースＣ2は、本発明の第２実施形態例である。
このカバーケースＣ2は、背部５５、左側部６０、右側部６５、底部７０及び蓋体７５とからなる箱型形状の本体５１と、図示しない正面の扉とが合成樹脂材料により一体に成形されている。第１実施形態例のカバーケースＣ1の場合と同様に、それら背部５５と左側部６０との連接部、背部５５と蓋体７５との連接部及び左側部６０と扉との連接部とは夫々薄肉に形成されている。扉は右側部６５から分割され、左側部６０を伴って開閉自由に設けられている。
【００２６】
図７において、上記背部５５の左側には、左側部６０に平行に沿うように配置された案内片５６と、その案内片５６の上方に板バネ状の弾性片５７とが一体に形成されている。他方、その背部５５の右側には、案内片５６と対向する位置に板バネ状の弾性片５８と、右側部６５の内面に複数の案内片６６とが一体に形成されている。また、底部７０の内面には、補強リブを兼ねた複数の案内片７１を一体に形成する。左側部６０には内面下方に突出するストッパ６１と、上端内方に係止溝６２とを一体に形成する。
【００２７】
蓋体７５は、前記本体５１の背部５５の上縁部に薄肉に形成されたヒンジ７３により一体状に連接され、上面側の開口５２を開閉するように設けられる。そのヒンジ７３については、図８に示すように、蓋体７５の曲げ方向と直交する方向に複数の、ここでは２条の溝７４がその内面に形成されている。図１０に示すように、蓋体７５は自由端部に突条７６を設けると共に端部７５ａ、７５ｂを少し薄く設けられている。そして、蓋体７５の一方の端部７５ａを右側部６５の上端内方に設けた係止溝６７に係合させると共に、扉を閉めた状態にて他方の端部７５ｂを左側部６０の係止溝６２に係合させることにより、上記開口５２が閉じられた状態に保持されるように設ける。
【００２８】
８０は前記ヒンジ７３から少し内方位置の背部５５に３カ所設けられた弾力性を有するロック片である。各ロック片８０には、上端８０ａに係止爪８１が形成されている。各ロック片８０は基端８０ｂの側部を切欠穴８２、８２により背部５５から切り離されると共に、図１０に示すように、その基端８０ｂの後部に凹部８３を形成することにより弾性変形を生じやすいように設けられている。
しかして、蓋体７５を背部５５に押し付けるように内方に折り曲げた場合、同蓋体７５の突条７６がロック片８０の係止爪８１に係合して前記開口５２が開かれた状態に保持されるように設ける。８３は背部５５のヒンジ７３の箇所に形成された窪みであり、内方に折り曲げられた蓋体７５を起こすときに指先を掛けるために設けられている。
【００２９】
なお、上述したロック片８０による蓋体７５のロック構造については、ビデオテープカセットよりも厚さの薄い円盤状記録媒体用カバーケースに適用することができる。図１２にその一例を示すが、蓋体１７５を折り曲げたときの厚さを小さくすることができるため、カバーケースのコンパクト化に有効である。
上記カバーケースＣ2の各構成要素と同一部分については、その説明に用いた符号を百番台の符号として図１２の図面に記載してその説明に代える。
【００３０】
以上により、第２実施形態例のカバーケースＣ2が構成される。
このカバーケースＣ2によれば、図７に示す販売態様におけるビデオテープカセットＴと図１１に示すビデオレンタルショップにおける展示態様における扉付レンタル用ケースＲとは、左右に配置された弾性片５７、５８によって移動量が小範囲に規制されるので、ガタツキを可及的に抑制することができる。
加えて、蓋体７５の開閉については、ヒンジ７３に溝７４を設けているので軽く行え、ロック及びロック解除操作をワンタッチにより簡単に行うことができる。また、横入れレンタル用ケースＲ′を収納する場合についても、同様にガタツキを抑制することができる。
【００３１】
（第３実施の形態例）
図１３に示すビデオテープカセット用カバーケースＣ3は、本発明の第３実施形態例である。
このカバーケースＣ3は、箱型形状の本体２０１と、同本体２０１上面に形成される開口部（開口）２０２を閉鎖する蓋体２３０とによる２体構造とされている。
その蓋体２３０と本体２０１に対する同蓋体の固定構造以外については、前記第１実施形態例のカバーケースＣ1の構造に準ずるので、カバーケースＣ1の各構成要素と同一部分については、その説明に用いた符号を二百番台の符号として図面に記載してその説明に代える。
【００３２】
図１４において、平板形状の蓋体２３０には左右の端面に係止突条２３１、２３１を形成し、その裏面２３０ａに接近又は離れる方向に変位する板バネ状の弾性片２３２を一体に設けている。
【００３３】
図１３に示すように、本体２０１の開口部２０２の左側部２１５寄りに突設された枠片２０３と、右側部２２０の上端２２０ａの対向する内面には、前記蓋体２３０の係止突条２３１、２３１を雌雄の関係にて係合させるための一対の係合部２０４、２０４を形成する。同様に、右側部２２０の内面についても、一対の係合部２２３、２２３を所定間隔にて対向するように一体に形成する。
しかして、蓋体２３０は、前記開口部２０２の係合部２０４又は右側部２２０の係合部２２３にその係止突条２３１を係合し若しくは離脱させることにより夫々着脱可能に設けられている。
【００３４】
以上により、第３実施形態例のカバーケースＣ3が構成される。
このカバーケースＣ3によれば、図１３に示す販売態様の場合において、ビデオテープカセットＴはその上端面を蓋体２３０の弾性片２３２により弾圧されるので、縦方向のガタツキが抑制される。
また、図１５に示すビデオレンタルショップにおける展示態様の場合において、ビデオテープカセットＴを収めた扉付レンタル用ケースＲは開口部２０２から右側部２２０に付け替えられた蓋体２３０の弾性片２３２により横方向の移動量が小範囲に規制されるので、ガタツキを抑制される。
なお、横入れレンタル用ケースＲ′を収納する場合についても、同様にガタツキを抑制することができる。
【００３５】
以上の通り、上記したビデオテープカセットの販売とレンタル兼用カバーケースによれば、販売態様のビデオテープカセット及びレンタルショップでの展示態様におけるレンタル用ケースのガタツキを可及的に抑制することができる。よって、カバーケースにそのまま収納されたビデオテープカセットが、輸送される際に振動によって音を立てて動くという、従来のカバーケースにみられる不具合を解消することができる。加えて、ビデオレンタルショップにおいてブック式展示を行う場合には、各レンタル用ケースの正面は前後にでこぼこしないで整然として陳列されるので大変見栄えが良くなる。
【図面の簡単な説明】
【図１】カバーケースＣ1の斜視図
【図２】カバーケースＣ1の縦断正面図
【図３】図２のＡ−Ａ線断面図
【図４】扉付レンタル用ケースＲの展示態様を示すカバーケースＣ1の縦断正面図
【図５】図４のＢ−Ｂ線断面図
【図６】横入れレンタル用ケースＲ′の展示態様を示すカバーケースの縦断正面図
【図７】蓋体を起立させた状態を示すカバーケースＣ2の縦断正面図
【図８】蓋体が展開した状態におけるヒンジ部分の模式図
【図９】蓋体が屈曲した状態におけるヒンジ部分の模式図
【図１０】蓋体を折り曲げてロックが施された状態を示す説明図
【図１１】扉付レンタル用ケースＲの展示態様を示すカバーケースＣ2の縦断正面図
【図１２】円盤状記録媒体用カバーケースの場合において、蓋体を折り曲げてロックが施された状態を示す説明図
【図１３】カバーケースＣ3の縦断正面図
【図１４】蓋体の斜視図
【図１５】扉付レンタル用ケースＲの展示態様を示すカバーケースＣ3の縦断正面図
【符号の説明】
Ｔ→ビデオテープカセット
Ｒ→扉付レンタル用ケース
Ｒ′→横入れレンタル用ケース
Ｃ1→カバーケース
１→本体  ２→開口
１０→背部  １３、１４→係止穴
１５→左側部  １６→ストッパ
２０→右側部  ２２→ヒンジ
３０→蓋体  ３１→一端部  ３３→弾性片  ３４→突片
３５→扉
Ｃ2→カバーケース
５１→本体  ５２→開口
５５→背部  ５７、５８→弾性片
６０→左側部  ６１→ストッパ
６５→右側部  ７３→ヒンジ  ７４→溝
７５→蓋体  ７５ａ→端部  ７６→突条（自由端部）
８０→ロック片  ８１→係止爪
１５５→背部
１７５→蓋体  １７６→突条
１８０→ロック片  １８１→係止爪
Ｃ3→カバーケース
２０１→本体  ２０２→開口（開口部）  ２０４→係合部
２１５→左側部  ２１６→ストッパ
２２０→右側部  ２２３→係合部
２３０→蓋体  ２３１→係止突条  ２３２→弾性片
【図１】
0003756421.tif 000002
【図２】
0003756421.tif 000003
【図３】
0003756421.tif 000004
【図４】
0003756421.tif 000005
【図５】
0003756421.tif 000006
【図６】
0003756421.tif 000007
【図７】
0003756421.tif 000008
【図８】
0003756421.tif 000009
【図９】
0003756421.tif 000010
【図１０】
0003756421.tif 000011
【図１１】
0003756421.tif 000012
【図１２】
0003756421.tif 000013
【図１３】
0003756421.tif 000014
【図１４】
0003756421.tif 000015
【図１５】
0003756421.tif 000016